(57)【要約】【課題】菓子等の物品の保持性を高めるとともに、組立の容易さを確保することができる容器を提供する。【解決手段】一方の端部が閉じられた底面部１２とされ、他方の端部が開口とされた円筒状に形成されるとともに、物品を支持する仕切部３０を内部に備えた容器１であって、仕切部３０には、板状に形成された物品を支持するものであり、周方向および径方向内側に延びるとともに、径方向内側に向かって開口から底面に向かって傾斜して配置された複数の羽根部３１と、複数の羽根部３１と一体に形成されるとともに、複数の羽根部３１を支持するものであり、長尺に形成された一方の端部と他方の端部とを重ね合わせることにより環状とされる連結部３６と、が設けられていることを特徴とする。【選択図】  図１
0003179773.tif 000002
【実用新案登録請求の範囲】
【請求項１】
一方の端部が閉じられた底面部とされ、他方の端部が開口とされた円筒状に形成されるとともに、物品を支持する仕切部を内部に備えた容器であって、
前記仕切部には、
板状に形成された前記物品を支持するものであり、周方向および径方向内側に延びるとともに、前記径方向内側に向かって前記開口から前記底面に向かって傾斜して配置された複数の羽根部と、
該複数の羽根部と一体に形成されるとともに、前記複数の羽根部を支持するものであり、長尺に形成された一方の端部と他方の端部とを重ね合わせることにより環状とされる連結部と、
が設けられていることを特徴とする容器。
【請求項２】
前記羽根部における径方向内側の端部である先端部は、隣接する前記羽根部と前記底面部との間の空間にまで延びていることを特徴とする請求項１記載の容器。
【請求項３】
前記羽根部は径方向外側の端部である根元部が前記連結部によって支持されるとともに、
前記羽根部における径方向内側の端部である先端部は、少なくとも前記仕切部が前記物品を支持した際に、前記底面部に接触することを特徴とする請求項１記載の容器。
【請求項４】
前記仕切部は、前記複数の羽根部および前記連結部を有する一枚の板状部材であり、
前記連結部の前記一方の端部および前記他方の端部を重ね合わせて環状とした状態において、
前記複数の羽根部を前記連結部から径方向内側に折り曲げて形成されていることを特徴とする請求項１から３のいずれか１項に記載の容器。
【請求項５】
前記連結部における前記一方の端部および前記他方の端部には、前記連結部を環状に保持する係止部が設けられていることを特徴とする請求項１から４のいずれか１項に記載の容器。
【考案の詳細な説明】
【技術分野】
【０００１】
本考案は、菓子等を収納または運搬する容器に関し、更に詳しくは、内部に仕切板を備えた容器に関する。
【背景技術】
【０００２】
従来、菓子等の比較的小型の物品を収納または運搬する容器として、底板を有する円筒状に形成された容器が知られている（例えば、特許文献１参照。）。この円筒状の容器には、菓子等が容器の中で自由に移動しないようにするために仕切板が配置されている。
【０００３】
特許文献１に記載された容器では、複数の平板を組み合わせた仕切板を円筒状容器の内部に配置している。より詳しくは、円筒状容器の直径と同等の長さを有する２枚の平板を交差して組み合わせた仕切板などが用いられている。
【先行技術文献】
【特許文献】
【０００４】
【特許文献１】特開２００２−００２７１３号公報
【考案の概要】
【考案が解決しようとする課題】
【０００５】
しかしながら上述の特許文献１に記載された仕切板では、以下に述べる問題があった。
つまり、円筒状容器に対して平板で構成される仕切板を用いると、菓子等の物品を保持しにくくなるという問題があった。つまり、当該仕切板で仕切られた空間は、円筒状容器の内面である曲面および平らな底面と、仕切板の平らな側面とから構成されることになり、歪な形状として構成されている。このような空間の内部に菓子等を収納しても、空間の形状と菓子等の形状とが大きく異なるため、菓子等を動かないように保持することが難しかった。
【０００６】
さらに、菓子等をこの空間に収納した際、複数の菓子等の間で姿勢を統一して保持することができず、菓子等の姿勢がバラバラになりやすい。言い換えると、容器の内部に位置を整えて菓子等を収納することにより、収納された菓子等の見栄えを整えることが難しかった。
【０００７】
また、平板を組み合わせた仕切板を円筒状容器の内部に配置して容器を組み立てる際、仕切板を容器の内部に配置しにくいという問題があった。
つまり、収納する菓子等の保持性を高める等の目的のため、容器の内面と仕切板の端部との隙間を小さくすることが好ましい。しかしながら、当該隙間が小さくなると、仕切板を容器の内部に配置する際の遊びが小さくなり、仕切板を容器の内部に配置する際に、仕切板が容器の円筒状の側壁と干渉しやすくなる。言い換えると、仕切板を容器の内部に入れにくくなる。
【０００８】
さらに、当該隙間が小さいと、容器の内部に仕切板を配置した後に、仕切板の配置位置を修正したり、仕切板の形状を修正したりする余裕がないため、仕切板を容器の外側に取出し、再度、容器の内部に配置し直す必要があった。
【０００９】
本考案は、上記の課題を解決するためになされたものであって、菓子等の物品の保持性を高めるとともに、組立の容易さを確保することができる容器を提供することを目的とする。
【課題を解決するための手段】
【００１０】
上記目的を達成するために、本考案は、以下の手段を提供する。
本考案の容器は、一方の端部が閉じられた底面部とされ、他方の端部が開口とされた円筒状に形成されるとともに、物品を支持する仕切部を内部に備えた容器であって、前記仕切部には、板状に形成された前記物品を支持するものであり、周方向および径方向内側に延びるとともに、前記径方向内側に向かって前記開口から前記底面に向かって傾斜して配置された複数の羽根部と、該複数の羽根部と一体に形成されるとともに、前記複数の羽根部を支持するものであり、長尺に形成された一方の端部と他方の端部とを重ね合わせることにより環状とされる連結部と、が設けられていることを特徴とする。
【００１１】
本考案の容器によれば、仕切部の羽根部に物品を載せることにより、円筒状の容器であっても物品を安定して保持することが容易となる。周方向および径方向内側に延びるとともに、径方向内側に向かって開口から底面部に向かって傾斜している、言い換えると、らせん状に延びる羽根部の上に物品を配置することで、物品は容器の側面である円周沿いにらせん状に配置される。容器の側面である円周に沿って物品を配置すると、円筒状の容器の内部に直線状に物品を並べて配置する場合と比較して、物品の配置に無理が生じにくく保持しやすくなる。
【００１２】
らせん状に配置される羽根部によって物品をらせん状に並べて保持することにより、例えば物品を直線状に並べて保持する場合と比較して、仕切部を構成する材料の面積を狭くすることができる。言い換えると使用する材料を少なくすることができ、製造コストの低減を図ることができる。さらに、物品がらせん状に配置されることにより、物品を直線状に配置した場合と比較して異なる外観となって物品の差別化を図ることができる。言い換えると、物品の見栄えを良くすることができる。
【００１３】
一方の端部と他方の端部とを重ね合わせて環状の連結部の径を小さくすることにより、容器の内部に仕切部を入れやすくなる。その後、環状の連結部の径を大きくすることで、仕切部は容器の内面に接触し、配置位置が決められる。
【００１４】
上記考案において前記羽根部における径方向内側の端部である先端部は、隣接する前記羽根部と前記底面部との間の空間にまで延びていることが好ましい。
このように羽根部の先端部を、隣接する羽根部と底面部との間の空間に入り込ませることにより、物品の保持性が更に高くなる。つまり、羽根部の上に物品を載せる際に、物品を羽根部の先端部側に配置することで、物品は当該羽根部とこれに隣接する羽根部との間に配置される。言い換えると物品は一対の羽根部によって上下から挟んで保持されるため、単に羽根部の上に配置される場合と比較して、物品の保持性が高くなる。
【００１５】
また物品に着目すると、隣接する物品の間に羽根部が配置されることになるため、隣接する物品同士が直接接触しにくくなる。つまり、隣接する物品が接触、または、衝突することにより物品が損傷することを抑制できる。
【００１６】
上記考案において前記羽根部は径方向外側の端部である根元部が前記連結部によって支持されるとともに、前記羽根部における径方向内側の端部である先端部は、少なくとも前記仕切部が前記物品を支持した際に、前記底面部に接触することが好ましい。
【００１７】
このように羽根部の根元部を連結部によって支持し、かつ、先端部が底面部に接触できるようにすることにより、羽根部の厚さを薄くしやすくなるとともに、物品の保持性を高めやすくなる。例えば、羽根部が一ヶ所で支持されている場合と比較して、根元部および先端部で支持することにより羽根部に必要とされる強度が低くなるため、羽根部を構成する部材の厚さを薄くすることができる。また、物品を上に載せても羽根部の姿勢を安定させやすいため、物品および羽根部の動きが抑制されて物品の保持性を高めやすい。
【００１８】
上記考案において前記仕切部は、前記複数の羽根部および前記連結部を有する一枚の板状部材であり、前記連結部の前記一方の端部および前記他方の端部を重ね合わせて環状とした状態において、前記複数の羽根部を前記連結部から径方向内側に折り曲げて形成されていることが好ましい。
【００１９】
このように仕切部を一枚の板状部材から形成し、複数の羽根部を連結部から折り曲げて形作ることにより、仕切部および仕切部を備える容器を製造しやすくなる。例えば、仕切部を所定の強度を有する紙や、薄板状に形成された樹脂から形成することができる。
【００２０】
上記考案において前記連結部における前記一方の端部および前記他方の端部には、前記連結部を環状に保持する係止部が設けられていることが好ましい。
このように一方の端部および他方の端部に係止部を設けることにより、仕切部を環状に保持しやすくなって、物品を保持しやすくなる。例えば、羽根部の上に物品を載せる際に、仕切部の形状が歪み難くなり、物品を羽根部の上に載せやすくなる。
【考案の効果】
【００２１】
本考案の容器によれば、周方向および径方向内側に延びるとともに、径方向内側に向かって開口から底面部に向かって傾斜している羽根部を設けることにより、物品を羽根部の上にらせん状に配置することができ、菓子等の物品の保持性を高めることができるという効果を奏する。さらに、連結部の一方の端部と他方の端部とを重ね合わせて環状の連結部の径を小さくすることにより、容器の内部に仕切部を入れやすくなり、組立の容易さを確保することができるという効果を奏する。
【図面の簡単な説明】
【００２２】
【図１】本考案の第１の実施形態に係る容器の構成を説明する分解図である。
【図２】図１の仕切部の構成を説明する展開図である。
【図３】図１の仕切部の構成を説明する上面視図である。
【図４】本考案の第２の実施形態に係る容器の仕切部の構成を説明する展開図である。
【図５】図４の仕切部の構成を説明する上面視図である。
【考案を実施するための形態】
【００２３】
〔第１の実施形態〕
以下、本考案の第１の実施形態に係る容器について図１から図３を参照して説明する。
本実施形態では、本考案に係る容器１をビスケットなどの薄型の菓子（物品）４１の収納や、運搬に用いられるものに適用して説明する。なお、容器１に収納等されるものとしては、上述の菓子４１であってもよいし、その他の薄型の物品であってもよく、収納等する対象を特に限定するものではない。
【００２４】
容器１は、図１の分解図に示すように、円柱状の形状を構成するとともに内部に菓子４１を収納する容器本体１０および蓋部２０と、容器本体１０の内部に配置され、菓子４１を所定の位置に保持する仕切部３０と、から主に構成されている。
【００２５】
容器本体１０および蓋部２０は、組み合わされることにより内部に菓子４１および仕切部３０を収納する円柱状の空間を有する缶型容器を形成構成するものである。本実施形態において容器本体１０および蓋部２０は、厚紙などの所定の強度を有する紙から形成されている例に適用して説明する。なお、容器本体１０および蓋部２０は、上述のように紙から形成されていてもよいし、金属や樹脂などの他の材料から形成されていてもよく、特に限定されるものではない。
【００２６】
容器本体１０は、円筒状に形成された本体側面部１１と、本体側面部１１における下側の端部（図１の下側の端部）を閉塞する底面部１２と、から主に構成されている。本体側面部１１の上側の端部（図１の上側の端部）は開口とされている。
【００２７】
また蓋部２０は、円筒状に形成された蓋側面部２１と、蓋側面部２１の上側の端部（図１の上側の端部）を閉塞する天面部２２と、から主に構成されている。蓋側面部２１の下側の端部（図１の下側の端部）は開口端とされている。
【００２８】
本体側面部１１の上端には、容器本体１０と蓋部２０とを組み合わせた際、蓋側面部２１の内側に入り込む嵌合部１３が設けられている。なお、本実施形態では、容器本体１０と蓋部２０とが組み合わされた状態において、本体側面部１１と蓋側面部２１との間に段差が形成されず、容器１として滑らかな円筒面が形成されるようになっている。
【００２９】
次に、本実施形態の特徴である仕切部３０の構成について説明する。
仕切部３０は、図２の展開図に示すように、複数の羽根部３１と、複数の羽根部３１と一体とされた連結部３６と、から主に構成されている。本実施形態では、所定の強度を有する１枚の紙を、木型を用いて図２の形状に切り抜いた例に適用して説明する。
【００３０】
図２に示す形状に形成された仕切部３０は、図１に示すように環状に丸められ、羽根部３１を内側に折り曲げられた形状とされている。本実施形態では、仕切部３０に５枚の羽根部３１が設けられている例に適用して説明する。
【００３１】
羽根部３１は仕切部３０を展開した状態では、図２に示すように、連結部３６から同じ側（図２の上側）に突出するとともに、連結部３６の長手方向（図２の左右方向）に沿って等間隔に並んで配置されている。羽根部３１と連結部３６との境界となる罫線３２は、連結部３６の長手方向に対して所定の角度αをなして設けられている。本実施形態では、連結部３６における右端部から左端部に向かって、上側に傾く罫線３２である例に適用して説明する。
【００３２】
羽根部３１は、罫線３２側の根元部３３が反対側の先端部３４よりも幅が広い先細りの形状に形成されている。さらに羽根部３１は、根元部３３から先端部３４に向かって、連結部３６の右端部に傾く形状に形成されている。
【００３３】
連結部３６は帯状に形成されたものであり、容器本体１０の内部に配置された際に本体側面部１１の内周と接触するものである。連結部３６には、羽根部３１が設けられた部分から長手方向に延びる突出部３７が設けられている。本実施形態では、連結部３６の右端部に突出部３７が設けられている例に適用して説明する。
【００３４】
次に、上述の仕切部３０を容器本体１０の内部に配置する容器１の組立方法について説明する。
図２に示す展開形状に切りぬかれた仕切部３０は、図１に示すように、連結部３６の右端部（一方の端部）と左端部（他方の端部）を重ね合わせて環状の形状とされるとともに、罫線３２に沿って羽根部３１が折り曲げられる。この状態で仕切部３０は容器本体１０の内部に配置される。
【００３５】
このとき、連結部３６の右端部および左端部を深く重ね合わせて、仕切部３０の径が縮められる。仕切部３０が容器本体１０の内部に配置されると、仕切部３０の径が広げられて連結部３６は容器本体１０の本体側面部１１の内周に押し付けられる。
【００３６】
容器本体１０の内部に仕切部３０が配置されると、図１の分解図および図３（ａ）の上面視に示すように、羽根部３１は容器本体１０の周方向および径方向内側に向かって延びるように配置される。さらに羽根部３１は、根元部３３から先端部３４に向かって、容器本体１０の開口から底面部１２に向かって傾斜して配置される。羽根部３１の先端部３４は容器本体１０の底面部１２に接触可能とされている。言い換えると、羽根部３１はらせん状に立体的に配置されている。
【００３７】
羽根部３１の先端部３４は、隣接する羽根部３１と底面部１２との間の空間に入り込んでいる。また羽根部３１における径方向内側の内側辺３５は、凹んだ曲線状に形成されている。そのため、容器本体１０の内部に配置された仕切部３０は、立体的ならせん状の印象を与えるとともに、渦巻状の印象などの美観を、容器１を見た者に与えることができる。なお内側辺３５の形状は、上述のように凹んだ曲線状に形成されていてもよいし、その他の形状に形成されていてもよく、特に限定するものではない。
【００３８】
次に、容器１に菓子４１を詰める方法、より具体的には仕切部３０に菓子４１を詰める方法について説明する。
袋に包装された菓子４１は、図３（ｂ）示すように、仕切部３０における羽根部３１の上に、容器本体１０の周方向に沿って順に載せられる。このように詰められた菓子４１は、容器本体１０の内部にらせん状かつ立体的に配置される。
【００３９】
より具体的には、菓子４１は一つの羽根部３１の上に載せられるとともに、載せられた羽根部３１の先端部３４の近くに配置される。このとき菓子４１は隣接する羽根部３１の下側に位置し、羽根部３１によって上側および下側を保持されている。また、羽根部３１の先端部３４は、菓子４１によって押し下げられ容器本体１０の底面部１２と接触している。
【００４０】
上記の構成の容器１によれば、仕切部３０の羽根部３１に菓子４１を載せることにより、円筒状の容器本体１０であっても菓子４１を安定して保持することが容易となる。周方向および径方向内側に延びるとともに、径方向内側に向かって開口から底面に向かって傾斜している、言い換えると、らせん状に延びる羽根部３１の上に菓子４１を配置することで、菓子４１は容器本体１０の側面である円周沿いにらせん状に配置される。容器本体１０の側面である円周に沿って菓子４１を配置すると、円筒状の容器本体１０の内部に直線状に菓子４１を並べて配置する場合と比較して、菓子４１の配置に無理が生じにくく保持しやすくなる。
【００４１】
らせん状に配置される羽根部３１によって菓子４１をらせん状に並べて保持することにより、例えば菓子４１を直線状に並べて保持する場合と比較して、仕切部３０を構成する材料の面積を狭くすることができる。言い換えると使用する材料を少なくすることができ、仕切部３０の製造コスト低減を図ることができる。さらに、菓子４１がらせん状に配置されることにより、菓子４１を直線状に配置した場合と比較して異なる外観となって菓子４１の差別化を図ることができる。言い換えると、菓子４１の見栄えを良くすることができる。
【００４２】
右端部と左端部とを重ね合わせて環状の連結部３６の径を小さくすることにより、容器本体１０の内部に仕切部３０を入れやすくなる。その後、環状の連結部３６の径を大きくすることで、仕切部３０は容器本体１０の内面に接触し、配置位置を決めることができる。
【００４３】
羽根部３１の先端部３４を、隣接する羽根部３１と底面部１２との間の空間に入り込ませることにより、菓子４１の保持性が更に高くなる。つまり、羽根部３１の上に菓子４１を載せる際に、菓子４１を羽根部３１の先端部３４側に配置することで、菓子４１は当該羽根部３１とこれに隣接する羽根部３１との間に配置される。言い換えると菓子４１は一対の羽根部３１，３１によって上下から挟んで保持されるため、単に羽根部３１の上に配置される場合と比較して、菓子４１の保持性が高くすることができる。
【００４４】
また菓子４１に着目すると、隣接する菓子４１の間に羽根部３１が配置されることになるため、隣接する菓子４１同士が直接接触しにくくなる。つまり、隣接する菓子４１が接触、または、衝突することにより菓子４１が損傷することを抑制できる。
【００４５】
羽根部３１の根元部３３を連結部３６によって支持し、かつ、先端部３４が底面部１２に接触できるようにすることにより、羽根部３１の厚さを薄くしやすくなるとともに、菓子４１の保持性を高めやすくなる。例えば、羽根部３１が一ヶ所で支持されている場合と比較して、根元部３３および先端部３４で支持することにより羽根部３１に必要とされる強度が低くなるため、羽根部３１を構成する部材の厚さを薄くすることができる。また、菓子４１を上に載せても羽根部３１の姿勢を安定させやすいため、菓子４１および羽根部３１の動きが抑制されて菓子４１の保持性を高めやすい。
【００４６】
仕切部３０を一枚の板状部材から形成し、複数の羽根部３１を連結部３６から折り曲げて形作ることにより、仕切部３０および仕切部３０を備える容器１を製造しやすくなる。例えば、仕切部３０を所定の強度を有する紙や、薄板状に形成された樹脂から形成することができる。
【００４７】
上述の実施形態では、罫線３２が直線である例に適用して説明したが、仕切部３０を容器本体１０の内部に配置した際に、本体側面部１１の内周と同じ曲面を形成する曲線として形成され、円形を強調する形状とされていてもよく、特に罫線３２の形状を限定するものではない。
【００４８】
なお、仕切部３０の羽根部３１の大きさや枚数は、容器１に収納される（詰められる）菓子４１の大きさや数に従って、任意に定めることができるものであり、上述の実施形態に限定されるものではない。例えば、比較的大きな菓子４１を容器１に詰める場合には、羽根部３１を大きくするとともに枚数を減らすことが考えられる。逆に、比較的小さな菓子４１を容器１に詰める場合には、羽根部３１を小さくするとともに枚数を増やすことが考えられる。
【００４９】
なお、仕切部３０を構成する材料としては、上述の紙のような厚さが薄い材料であればよく、例えばポリエチレンテレフタレート（ＰＥＴ）などの樹脂から形成された薄膜であってもよく、特に限定するものではない。仕切部３０を厚さが薄い材料から形成することにより、仕切部３０における羽根部３１の形状に変化を付けやすくなり、羽根部３１におけるデザインの展開を図りやすくなる。
【００５０】
仕切部３０を紙から構成することにより、仕切部３０の製造コストを低減することができる。つまり、紙から構成する場合、比較的安価な木型を用いて切り抜くことにより仕切部３０を形成することができる。これに対して、仕切部３０を樹脂などの成形品として形成すると、木型と比較して高価な金型を用いて仕切部３０を形成することとなり、製造コストが高くなる。
【００５１】
さらに仕切部３０を成型品や化成品として形成した場合と比較して、紙から形成することにより、仕切部３０の厚みを薄くすることができるため、仕切部３０としての形状の自由度が高くなる。言い換えると、成形品や化成品では実現が困難な形状に仕切部３０を形成することができる。
【００５２】
また、ＰＥＴなどのように透明な材料（言い換えると光の透過性を有する材料）を仕切部３０の材料として用いた場合、仕切部３０によって支持される菓子４１の立体的な配置が強調されやすくなる。
【００５３】
〔第２の実施形態〕
次に、本考案の第２の実施形態について図４および図５を参照して説明する。本実施形態の容器の基本構成は、第１の実施形態と同様であるが、第１の実施形態とは、仕切部における羽根部の形状が異なっている。よって、本実施形態においては、図４および図５を用いて仕切部について説明し、その他の構成要素等の説明を省略する。
【００５４】
本実施形態に係る容器１０１の仕切部１３０は、図４の展開図に示すように、複数の羽根部１３１と、複数の羽根部１３１と一体とされた連結部１３６と、から主に構成されている。本実施形態では、所定の強度を有する１枚の紙を、図４の形状の木型を用いて切り抜いた例に適用して説明する。なお、仕切部１３０を構成する材料としては、上述のように紙であってもよいし、ポリエチレンテレフタレート（ＰＥＴ）などの樹脂から形成された薄膜であってもよく、特に限定するものではない。
【００５５】
図４に示す形状に形成された仕切部１３０は、図５（ａ）の上面視図に示すように環状に丸められ、羽根部１３１を内側に折り曲げられた形状とされている。本実施形態では、仕切部１３０に１５枚の羽根部１３１が設けられている例に適用して説明する。
【００５６】
羽根部１３１は仕切部１３０を展開した状態では、図４に示すように、連結部１３６から同じ側（図４の上側）に突出するとともに、連結部１３６の長手方向（図４の左右方向）に沿って等間隔に並んで配置されている。羽根部１３１と連結部１３６との境界となる罫線３２は、連結部１３６の長手方向に対して所定の角度βをなして設けられている。本実施形態では、連結部１３６における右端部から左端部に向かって、第１の実施形態における罫線３２よりも大きな角度で上側に傾く罫線３２である例に適用して説明する。
【００５７】
羽根部１３１は先端部３４に向かって、連結部１３６の右端部に傾く形状に形成されている。また羽根部１３１の先端部３４における径方向外側の外側辺１３５は、容器本体１０の内部に配置された際に、底面部１２に向かって突出している。
【００５８】
連結部１３６は帯状に形成されたものであり、容器本体１０の内部に配置された際に本体側面部１１の内周と接触するものである。連結部１３６における左端部には係止突部（係止部）１３８が設けられ、右端部には係止突部１３８と嵌め合わされる係止スリット部（係止部）１３９が設けられている。
【００５９】
係止突部１３８は、右端部に向かって突出する形状の切り込みによって、連結部１３６から切り出された部材である。係止突部１３８の左端部において連結部１３６と繋がり、右端部が連結部１３６から離れる方向（図４の紙面から離れる方向）に移動可能なものである。なお、係止突部１３８の形状は、図４に示すような半円形状であってもよいし、矩形状であってもよく、特に限定するものではない。
【００６０】
係止スリット部１３９は、連結部１３６が環状にされた際に、係止突部１３８の右端部が差し込まれる切り込みである。なお、連結部１３６を環状に保持する構成としては、上述の係止突部１３８および係止スリット部１３９に限定するものではなく、他の公知の係止構造を用いてもよい。
【００６１】
次に、上述の仕切部１３０を容器本体１０の内部に配置する容器１０１の組立方法について説明する。
図４に示す展開形状に切りぬかれた仕切部１３０は、連結部１３６の係止スリット部１３９に係止突部１３８が差し込まれて環状の形状とされるとともに、図５（ａ）の上面視図に示すように、罫線３２に沿って羽根部１３１が折り曲げられる。
【００６２】
容器本体１０の内部に仕切部１３０が配置されると、羽根部１３１は、第１の実施形態の羽根部３１と同様にらせん状に立体的に配置されている。このとき、羽根部１３１の外側辺１３５は、容器本体１０の底面部１２に向かって突出し、底面部１２と接触している。
【００６３】
次に、容器１０１に菓子４１を詰める方法、より具体的には仕切部１３０に菓子４１を詰める方法は、第１の実施形態における詰める方法と同様であるため、図５（ｂ）に菓子４１が詰められた状態の容器１０１を図示し、その方法の説明は省略する。
【００６４】
上記の構成の容器１０１によれば、係止突部１３８および係止スリット部１３９を設けることにより、仕切部１３０を環状に保持しやすくなって、菓子４１を保持しやすくなる。例えば、羽根部１３１の上に菓子４１を載せる際に、仕切部１３０の形状が歪み難くなり、菓子４１を羽根部１３１の上に載せやすくなる。
【００６５】
なお、本実施形態では仕切部１３０に係止突部１３８および係止スリット部１３９を設けた例に適用して説明したが、第１の実施例の仕切部３０と同様に係止突部１３８および係止スリット部１３９を設けなくてもよく、係止突部１３８および係止スリット部１３９の有無を特に限定するものではない。
【００６６】
また、本考案の技術範囲は上記実施形態に限定されるものではなく、本考案の趣旨を逸脱しない範囲において種々の変更を加えることが可能である。例えば、本考案を上記の実施形態に適用したものに限られることなく、これらの実施形態を適宜組み合わせた実施形態に適用してもよく、特に限定するものではない。
【符号の説明】
【００６７】
１，１０１…容器、３０，１３０…仕切部、３１，１３１…羽根部、３６，１３６…連結部、３３…根元部、３４…先端部、４１…菓子（物品）、１３８…係止突部（係止部）、１３９…係止スリット部（係止部）
【図１】
0003179773.tif 000003
【図２】
0003179773.tif 000004
【図４】
0003179773.tif 000005
【図３】
0003179773.tif 000006
【図５】
0003179773.tif 000007